【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
無線通信システムにおいて無線装置が多数セルに対してパワーヘッドルーム（ＰＨ）を報告する方法であって、
第１のサービングセルの第１ＢＷＰ（ｂａｎｄｗｉｄｔｈ  ｐａｒｔ）に関する第１タイムスロットにおいてＰＵＳＣＨ（Ｐｈｙｓｉｃａｌ  Ｕｐｌｉｎｋ  Ｓｈａｒｅｄ  Ｃｈａｎｎｅｌ）送信に対する第１パワーヘッドルーム（ＰＨ）を計算するステップと、
第２のサービングセルの第２ＢＷＰに関する複数のタイムスロットのそれぞれと少なくとも部分で重複する前記第１タイムスロットに基づいて、
前記第１ＢＷＰについてのそれぞれのタイムスロットの区間が前記第２ＢＷＰについてのそれぞれのタイムスロットの区間より長くなるように、前記第１のサービングセルの前記第１ＢＷＰは、前記第２のサービングセルの前記第２ＢＷＰの第２サブキャリアスペーシング（ＳＣＳ）より小さい第１サブキャリアスペーシング（ＳＣＳ）を有し、
前記第２のサービングセルの前記第２ＢＷＰについての第２タイムスロットでＰＵＳＣＨ送信に対する第２ＰＨを計算するステップであって、前記第２タイムスロットは、前記第１タイムスロットと時間が十分に重複する前記複数のタイムスロットの中の、初期タイムスロットである、ステップと、
前記第１ＰＨと前記第２ＰＨを報告するステップを含む、方法。
【請求項２】
前記第１ＰＨと前記第２ＰＨの両方は、前記第１のサービングセルの前記第１ＢＷＰについての前記第１タイムスロットにおいて前記ＰＵＳＣＨ送信で前記無線装置により報告される、請求項１に記載の方法。
【請求項３】
前記第１のサービングセルの前記第１ＢＷＰについての前記第１タイムスロットにおける前記ＰＵＳＣＨ送信に対する前記第１ＰＨは、前記第１のサービングセルに対する前記無線装置の設定された第１最大送信電力に基づいて計算され、
前記第２のサービングセルの前記第２ＢＷＰについての前記第２タイムスロットにおける前記ＰＵＳＣＨ送信に対する前記第２ＰＨは、前記第２のサービングセルに対する前記無線装置の設定された第２最大送信電力に基づいて計算される、請求項１に記載の方法。
【請求項４】
前記第１のサービングセルの前記第１ＢＷＰの前記第１ＳＣＳは、１５ＫＨｚ、３０ＫＨｚ、６０ＫＨｚ及び１２０ＫＨｚの中の第１の値に等しく、
前記第２のサービングセルの前記第２ＢＷＰの前記第２ＳＣＳは、前記第１の値よりも大きい、１５ＫＨｚ、３０ＫＨｚ、６０ＫＨｚ及び１２０ＫＨｚの中の第２の値に等しい、請求項１に記載の方法。
【請求項５】
前記第１ＢＷＰについてのそれぞれのタイムスロットと、前記第２ＢＷＰについてのそれぞれのタイムスロットは、１４ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記第１ＢＷＰについてのそれぞれのＯＦＤＭシンボル区間は、前記第２ＢＷＰについてのそれぞれのＯＦＤＭシンボル区間と異なる、請求項４に記載の方法。
【請求項６】
前記無線装置は、（ｉ）前記第１のサービングセルに対する第１周波数範囲内で前記第１ＢＷＰを含む第１の複数のＢＷＰと、（ｉｉ）前記第２のサービングセルに対する第２周波数範囲内で前記第２ＢＷＰを含む第２の複数のＢＷＰで設定される、請求項１に記載の方法。
【請求項７】
前記第１のサービングセルの前記第１ＢＷＰについての前記第１タイムスロット内で前記ＰＵＳＣＨ送信をスケジューリングするための第１ＤＣＩ（ｄｏｗｎｌｉｎｋ  ｃｏｎｔｒｏｌ  ｉｎｆｏｒｍａｔｉｏｎ）を受信するステップと、
前記第２のサービングセルの前記第２ＢＷＰについての前記第２タイムスロット内で前記ＰＵＳＣＨ送信をスケジューリングするための第２ＤＣＩを受信するステップとをさらに含む、請求項１に記載の方法。
【請求項８】
前記第１ＤＣＩは、（ｉ）前記第１のサービングセルの前記第１ＢＷＰについての前記第１タイムスロット内で前記ＰＵＳＣＨ送信に適用される送信電力コマンド（ＴＰＣ：ｔｒａｎｓｍｉｔ  ｐｏｗｅｒ  ｃｏｍｍａｎｄ）と、（ｉｉ）前記第１ＤＣＩが受信されるタイムスロットと、前記ＰＵＳＣＨ送信が前記第１のサービングセルの前記第１ＢＷＰについて実行される前記第１タイムスロットの間の遅延に関連する遅延フィールドを含む、請求項７に記載の方法。
【請求項９】
前記第１のサービングセルの前記第１ＢＷＰについての前記第１タイムスロット内で前記ＰＵＳＣＨ送信をスケジューリングするための第１ＤＣＩを受信するステップと、
第３のサービングセルに対するＰＵＳＣＨ送信をスケジューリングするための第３ＤＣＩを受信するステップと、
（ｉ）前記第３のサービングセルに対する前記ＰＵＳＣＨ送信と時間が重複する前記第１のサービングセルに対する前記ＰＵＳＣＨ送信と、（ｉｉ）前記第１ＤＣＩの後に受信される前記第３ＤＣＩに基づいて、
前記第３のサービングセルに対する前記ＰＵＳＣＨ送信を考慮することなく、前記第１のサービングセルに対する前記ＰＵＳＣＨ送信に対する前記第１ＰＨを計算するステップと、
前記第１ＰＨを報告するステップをさらに含む、請求項１に記載の方法。
【請求項１０】
無線通信システムに対する装置であって、
プロセッサと、
前記プロセッサと動作的に結合し、前記プロセッサにより実行された時、前記装置に機能を実行させるインストラクションを格納するメモリとを含み、
第１のサービングセルの第１ＢＷＰ（ｂａｎｄｗｉｄｔｈ  ｐａｒｔ）に関する第１タイムスロットにおいてＰＵＳＣＨ（Ｐｈｙｓｉｃａｌ  Ｕｐｌｉｎｋ  Ｓｈａｒｅｄ  Ｃｈａｎｎｅｌ）送信に対する第１パワーヘッドルーム（ＰＨ）を計算し、
第２のサービングセルの第２ＢＷＰに関する複数のタイムスロットのそれぞれと少なくとも部分で重複する前記第１タイムスロットに基づいて、前記第１ＢＷＰについてのそれぞれのタイムスロットの区間が前記第２ＢＷＰについてのそれぞれのタイムスロットの区間より長くなるように、前記第１のサービングセルの前記第１ＢＷＰは、前記第２のサービングセルの前記第２ＢＷＰの第２サブキャリアスペーシング（ＳＣＳ）より小さい第１サブキャリアスペーシング（ＳＣＳ）を有し、
前記第２のサービングセルの前記第２ＢＷＰについての第２タイムスロットでＰＵＳＣＨ送信に対する第２ＰＨを計算し、前記第２タイムスロットは、前記第１タイムスロットと時間が十分に重複する前記複数のタイムスロットの中の、初期タイムスロットであり、
前記第１ＰＨと前記第２ＰＨを報告する、装置。
【請求項１１】
前記第１ＰＨと前記第２ＰＨの両方は、前記第１のサービングセルの前記第１ＢＷＰについての前記第１タイムスロットにおいて前記ＰＵＳＣＨ送信で前記装置により報告される、請求項１０に記載の装置。
【請求項１２】
前記第１のサービングセルの前記第１ＢＷＰについての前記第１タイムスロットにおける前記ＰＵＳＣＨ送信に対する前記第１ＰＨは、前記第１のサービングセルに対する前記装置の設定された第１最大送信電力に基づいて計算され、
前記第２のサービングセルの前記第２ＢＷＰについての前記第２タイムスロットにおける前記ＰＵＳＣＨ送信に対する前記第２ＰＨは、前記第２のサービングセルに対する前記装置の設定された第２最大送信電力に基づいて計算される、請求項１０に記載の装置。
【請求項１３】
前記第１のサービングセルの前記第１ＢＷＰの前記第１ＳＣＳは、１５ＫＨｚ、３０ＫＨｚ、６０ＫＨｚ及び１２０ＫＨｚの中の第１の値に等しく、
前記第２のサービングセルの前記第２ＢＷＰの前記第２ＳＣＳは、前記第１の値よりも大きい、１５ＫＨｚ、３０ＫＨｚ、６０ＫＨｚ及び１２０ＫＨｚの中の第２の値に等しい、請求項１０に記載の装置。
【請求項１４】
前記第１ＢＷＰについてのそれぞれのタイムスロットと、前記第２ＢＷＰについてのそれぞれのタイムスロットは、１４ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記第１ＢＷＰについてのそれぞれのＯＦＤＭシンボル区間は、前記第２ＢＷＰについてのそれぞれのＯＦＤＭシンボル区間と異なる、請求項１３に記載の装置。
【請求項１５】
前記装置は、（ｉ）前記第１のサービングセルに対する第１周波数範囲内で前記第１ＢＷＰを含む第１の複数のＢＷＰと、（ｉｉ）前記第２のサービングセルに対する第２周波数範囲内で前記第２ＢＷＰを含む第２の複数のＢＷＰで設定される、請求項１０に記載の装置。
【請求項１６】
前記機能は、
前記第１のサービングセルの前記第１ＢＷＰについての前記第１タイムスロット内で前記ＰＵＳＣＨ送信をスケジューリングするための第１ＤＣＩ（ｄｏｗｎｌｉｎｋ  ｃｏｎｔｒｏｌ  ｉｎｆｏｒｍａｔｉｏｎ）を受信し、
前記第２のサービングセルの前記第２ＢＷＰについての前記第２タイムスロット内で前記ＰＵＳＣＨ送信をスケジューリングするための第２ＤＣＩを受信することをさらに含む、請求項１０に記載の装置。
【請求項１７】
前記第１ＤＣＩは、（ｉ）前記第１のサービングセルの前記第１ＢＷＰについての前記第１タイムスロット内で前記ＰＵＳＣＨ送信に適用される送信電力コマンド（ＴＰＣ：ｔｒａｎｓｍｉｔ  ｐｏｗｅｒ  ｃｏｍｍａｎｄ）と、（ｉｉ）前記第１ＤＣＩが受信されるタイムスロットと、前記ＰＵＳＣＨ送信が前記第１のサービングセルの前記第１ＢＷＰについて実行される前記第１タイムスロットの間の遅延に関連する遅延フィールドを含む、請求項１６に記載の装置。
【請求項１８】
前記機能は、
前記第１のサービングセルの前記第１ＢＷＰについての前記第１タイムスロット内で前記ＰＵＳＣＨ送信をスケジューリングするための第１ＤＣＩを受信し、
第３のサービングセルに対するＰＵＳＣＨ送信をスケジューリングするための第３ＤＣＩを受信し、
（ｉ）前記第３のサービングセルに対する前記ＰＵＳＣＨ送信と時間が重複する前記第１のサービングセルに対する前記ＰＵＳＣＨ送信と、（ｉｉ）前記第１ＤＣＩの後に受信される前記第３ＤＣＩに基づいて、
前記第３のサービングセルに対する前記ＰＵＳＣＨ送信を考慮することなく、前記第１のサービングセルに対する前記ＰＵＳＣＨ送信に対する前記第１ＰＨを計算し、
前記第１ＰＨを報告することをさらに含む、請求項１０に記載の装置。